(57)【要約】      （修正有）【課題】美観を損ねず、足の滑りを防止できると共に転倒した際に使用者を傷付ける虞れの少ないスケートボードを提供する。【解決手段】ボード本体１０の上面の略全面にわたって、畳表１１を接着した。さらに、畳表１１の周端縁の少なくとも左右の端縁に畳縁１２を固着する。畳表のイ草による凹凸によって、足の滑りを防止でき、畳表が緩衝材（クッション）となって擦り傷等の怪我を防止できる。洋風のスポーツ器具であるスケートボードに和風な雰囲気を与え、美観を高めることができる。【選択図】図１
0003149989.tif 000002
【実用新案登録請求の範囲】
【請求項１】
ボード本体（10）の上面（10ａ）の略全面にわたって、畳表（11）を接着したことを特徴とするスケートボード。
【請求項２】
上記畳表（11）の周端縁の少なくとも左右の端縁に畳縁（12）を固着した請求項１記載のスケートボード。
【請求項３】
上記畳表（11）を織成するイ草（11ａ）の１本１本の方向を左右方向に配設した請求項１又は２記載のスケートボード。
【考案の詳細な説明】
【技術分野】
【０００１】
本考案は、スケートボードに関する。
【背景技術】
【０００２】
従来、スケートボードのボード本体（デッキとも言う）の上面には、使用者が滑らないように、目の粗いヤスリ状の滑り止めシートが貼着されているものが知られている。また、特許文献１記載のように、ボード本体の上面に足先係止フックを設けたものがあった。
【先行技術文献】
【特許文献】
【０００３】
【特許文献１】特開平０２−１５１８３号公報
【考案の概要】
【考案が解決しようとする課題】
【０００４】
ヤスリ状滑り止めシートは、使用者が転倒した際に、擦り傷等の怪我をさせる虞れがあった。また、足先係止フックは、突起しているため特に危険であると共に、見た目の良いものではなかった。
【０００５】
そこで、本考案は、美観を損ねず、足の滑りを防止できると共に転倒した際に使用者を傷付ける虞れの少ないスケートボードの提供を目的とする。
【課題を解決するための手段】
【０００６】
ボード本体の上面の略全面にわたって、畳表を接着したものである。
また、上記畳表の周端縁の少なくとも左右の端縁に畳縁を固着したものである。
また、上記畳表を織成するイ草の１本１本の方向を左右方向に配設したものである。
【考案の効果】
【０００７】
本考案のスケートボードによれば、畳表のイ草による凹凸によって、足の滑りを防止できる。畳表が緩衝材（クッション）となって擦り傷等の怪我を防止できる。洋風のスポーツ器具であるスケートボードに和風な雰囲気を与え、美観を高めることができる。
【図面の簡単な説明】
【０００８】
【図１】本考案の実施の形態を示す斜視図である。
【図２】本考案の実施の形態を示す底面図である。
【図３】要部拡大横断面図である。
【図４】要部拡大平面図である。
【図５】本考案の別の実施の形態を示す斜視図である。
【考案を実施するための形態】
【０００９】
以下、図示の実施の形態に基づき本考案を詳説する。
図１〜図４に、本考案の実施の一形態を示す。下面10ｂに左右の前側車輪16，16と、左右の後側車輪16，16が取着された木製板状のボード本体10を備えている。ボード本体10は、前後両端側が上方へ反り上っている。
多数のイ草11ａ，11ａによって織成し（織製）された畳表11を、ボード本体10の上面10ａの略全面にわたって（接着剤にて）接着している。
イ草11ａの１本１本の方向を左右方向に配設して接着している。つまり、平面視でイ草11ａの長手方向をボード本体10の長手方向に直交するように配設して接着している。
【００１０】
なお、本考案において、「イ草」とは、天然のイ草に限らず、ポリプロピレン等の合成樹脂から成る合成イ草や、紙を裁断して得られる紐状物等から成る人工のイ草も含む。
【００１１】
接着された畳表11の周端縁の左右の端縁に、帯布状の畳縁12を接着剤にて固着している。畳縁12は、左右の端縁を覆うように折り曲がり、畳表11の上面とボード本体10の側面に接着している。畳縁12は、和風な図形や絵等の模様が刺繍されて（織られて）いる。
【００１２】
また、ボード本体10の下面10ｂに、和風な模様（絵や図形）が描かれたシート部材13を接着剤にて接着（貼着）している。シート部材13は、具体的には、図２に示すような松の絵や日本庭園等の和風の絵が描かれた襖紙である。
【００１３】
上述した実施の形態の使用法（作用）について説明する。
ボード本体10に畳表11を接着する際、畳表11は、柔軟性を有するので、ボード本体10の形状に沿って容易に変形し接着される。畳表11によって、多数本のイ草11ａによって形成された凸凹がボード本体10と使用者の足裏との間に形成され、摩擦力が高められて滑り止め効果を発揮する。図４に示すようにイ草11ａの方向が進行方向（矢印Ｚ方向）に直交する方向に配設されることでより高い滑り止め効果が発揮される。また、編まれたイ草11ａによる凹凸は、鋭利でなく、僅かに弾性を有しているので、密着感が得られると共に裸足で乗ることも可能にする。
【００１４】
また、転倒やバランスを崩しても、畳表11が緩衝材（クッション）となって、使用者へ硬いボード本体10が直接接触せず、怪我を防止する。
洋風のスポーツ器具であるスケートボードに和の風合いを有する畳表11が設けられることで、和洋折衷となって美観が向上する。
【００１５】
また、畳縁12によって、路面や縁石等に擦る可能性の高い、左右の端縁を確実に保護して、畳表11がボード本体10から剥離するのを防止する。また、使用者の脛等に接触した際の擦り傷を防止する。また、畳表11との相乗効果でより一層に和風の雰囲気を高める。
【００１６】
また、図５に示す別の実施の形態は、スノーボード等のオフトレーニング（オフトレ）用ロングスケートボードであって、平面板状のボード本体10に、畳表11と畳縁12が接着され、畳縁12を畳表11の周端縁全体にわたって固着したものである。
オフトレ用ロングスケートボードは、前後端が反り上っていない又は反り上がりが少ないため、壁や縁石等の障害物に前後の端縁が接触し、そこから畳表11が剥離する虞れがあるが、周端縁全体（左右前後）にわたって設けられている畳縁12によって剥離は防止される。
【００１７】
なお、本考案は設計変更自由であって、ボード本体10は、木製以外にもプラスチック等でも良い。畳縁12は、模様を描いたものや印刷したものでも良い。また、畳縁12を用いて、畳表11とボード本体10とシート部材13とを、挟持状に接着しても良い。つまり、横断面コの字状に接着して、ボード本体10から畳表11とシート部材13の剥離を防止しても良い。
また、シート部材13として、襖紙以外にも、障子紙や和紙、等の日本独特な文化的素材であればよく、和風の絵や図形が、描かれたものや印刷されたもの、あるいは刺繍されたもの等自由である。
【００１８】
以上のように、本考案は、ボード本体10の上面10ａの略全面にわたって、畳表11を接着したので、畳表によって足の滑りを防止できる。畳表11が緩衝材にもなって怪我を防止できる。洋風のスポーツ器具であるスケートボードに和風な雰囲気を与え、美観を高めることができる。柔軟性のある畳表11を用いることで、目的（競技用、オフトレ用、遊戯用）に応じた様々な形状に容易に対応できる。
【００１９】
また、畳表11の周端縁の少なくとも左右の端縁に畳縁12を固着したので、畳表11がボード本体10から剥離するのを防止できる。外観をより畳に近づけて和風的な美観を高めることをできる。
【００２０】
また、畳表11を織成するイ草11ａの１本１本の方向を左右方向に配設したので、進行方向（矢印Ｚ方向）に直交し、摩擦抵抗が高まって、足の滑りをより確実に防止できる。
【符号の説明】
【００２１】
10  ボード本体
10ａ  上面
11  畳表
12  畳縁
11ａ  イ草
【図１】
0003149989.tif 000003
【図２】
0003149989.tif 000004
【図３】
0003149989.tif 000005
【図４】
0003149989.tif 000006
【図５】
0003149989.tif 000007